(57)【要約】【課題】低振動の安定した動作が可能であり、信頼性が高く、製品寿命の長期化を図ることが可能な回転陽極型Ｘ線管及び回転陽極型Ｘ線管装置を提供する。【解決手段】回転陽極型のＸ線管は、Ｘ線放射層と、それぞれ終端部１３ａを有した複数のスリットと、凹凸部１５と、を含んだ陽極ターゲット１０と、凹凸部１５に嵌合された凹凸部２５を有した補強部材２０と、回転体３０と、継手部４０と、固定体と、陰極と、真空外囲器と、を備えている。凹凸部１５及び凹凸部２５は、凹凸部２５の凸部が凹凸部１５の凸部より外側に位置し終端部１３ａより外側で凹凸部１５の凸部と互いに圧力を提供し合う締り嵌めされることにより、嵌合されている。【選択図】図６
2011233364.tif 000002
【特許請求の範囲】
【請求項１】
回転軸を中心に回転可能であり、電子が入射されることによりＸ線を放射するＸ線放射層と、それぞれ前記外周面から前記回転軸に向かって凹んで形成され前記回転軸側に終端部を有した複数のスリットと、前記回転軸に同心的に凹凸して形成され凸部が凹部より前記回転軸側に位置した第１凹凸部と、を含んだ陽極ターゲットと、
前記回転軸に同心的に凹凸して形成され凹部が凸部より前記回転軸側に位置し前記第１凹凸部に嵌合された第２凹凸部を有した補強部材と、
前記回転軸に沿って延出して筒状に形成され、前記回転軸を中心に回転可能な回転体と、
前記陽極ターゲット及び回転体を結合した継手部と、
前記回転軸に沿って延出して前記回転体の内部に設けられ、前記回転体を回転可能に支持する固定体と、
前記Ｘ線放射層に電子を入射させ、前記Ｘ線放射層に焦点を形成する陰極と、
前記陽極ターゲット及び陰極を収容した真空外囲器と、を備え、
前記第１凹凸部及び第２凹凸部は、前記第２凹凸部の凸部が前記第１凹凸部の凸部より外側に位置し前記終端部より外側で前記第１凹凸部の凸部と互いに圧力を提供し合う締り嵌めされることにより、嵌合されていることを特徴とする回転陽極型Ｘ線管。
【請求項２】
前記スリットの終端部の幅は、前記スリットの前記外周面側の幅より大きいことを特徴とする請求項１に記載の回転陽極型Ｘ線管。
【請求項３】
前記補強部材は、前記継手部に形成されていることを特徴とする請求項１に記載の回転陽極型Ｘ線管。
【請求項４】
前記継手部は、前記陽極ターゲット及び回転体間に位置し、
前記補強部材は、前記陽極ターゲットに対して前記継手部の反対側に位置していることを特徴とする請求項１に記載の回転陽極型Ｘ線管。
【請求項５】
複数の締め具をさらに備え、
前記スリットの終端部は、それぞれ貫通孔で形成され、
前記複数の締め具は、前記複数の終端部に挿入され、前記継手部内に嵌められ、前記陽極ターゲット及び継手部を締め付けていることを特徴とする請求項３に記載の回転陽極型Ｘ線管。
【請求項６】
締め具をさらに備え、
前記陽極ターゲットは、孔部を有し、
前記継手部は、前記孔部を通って前記孔部の外側に突出した突出部を有し、
前記締め具は、前記突出部に嵌められ、前記陽極ターゲット及び継手部を締め付けていることを特徴とする請求項３に記載の回転陽極型Ｘ線管。
【請求項７】
締め具をさらに備え、
前記補強部材は、貫通孔を有し、
前記締め具は、前記貫通孔に挿入され、前記陽極ターゲット内に嵌められ、前記陽極ターゲット及び補強部材を締め付けていることを特徴とする請求項４に記載の回転陽極型Ｘ線管。
【請求項８】
前記Ｘ線放射層は、前記陽極ターゲットの一端面を形成していることを特徴とする請求項１に記載の回転陽極型Ｘ線管。
【請求項９】
前記Ｘ線放射層は、前記陽極ターゲットの外周面を形成していることを特徴とする請求項１に記載の回転陽極型Ｘ線管。
【請求項１０】
前記回転体は、一端が閉塞して形成され、
前記固定体は、前記回転体の内部に嵌合され、一端部が前記回転体の外側に突出していることを特徴とする請求項３に記載の回転陽極型Ｘ線管。
【請求項１１】
前記陽極ターゲット及び継手部は、それぞれ前記回転軸に沿った方向に延びた孔部を有し、
前記回転体は、前記陽極ターゲット及び継手部の孔部に挿入され、
前記固定体は、前記回転体の内部に設けられ、両端部が前記回転体の外側に突出していることを特徴とする請求項３に記載の回転陽極型Ｘ線管。
【請求項１２】
前記継手部は、筒状に形成され、前記回転体に同軸的に設けられ、
前記回転体は、前記継手部に連通され、
前記固定体は、前記回転体及び継手部の内部に設けられ、一端部が前記回転体の外側に突出していることを特徴とする請求項４に記載の回転陽極型Ｘ線管。
【請求項１３】
請求項１乃至１２の何れか１項に記載の回転陽極型Ｘ線管と、
前記回転体に与える磁界を発生して前記回転体及び陽極ターゲットを回転させる回転駆動機構と、
前記回転陽極型Ｘ線管及び回転駆動機構を収容した筐体と、を備えていることを特徴とする回転陽極型Ｘ線管装置。
【発明の詳細な説明】
【技術分野】
【０００１】
この発明は、回転陽極型Ｘ線管及び回転陽極型Ｘ線管装置に関する。
【背景技術】
【０００２】
Ｘ線管装置は、Ｘ線管を備えている。Ｘ線管は、陽極ターゲットに電子を衝突させてＸ線を発生する構成になっている。このようなＸ線管装置は、医療用の診断装置あるいは工業用の非破壊検査装置や材料分析装置など、多くの用途に利用されている。以下では代表的な装置として回転陽極型Ｘ線管装置および回転陽極型Ｘ線管について説明する。
【０００３】
回転陽極型Ｘ線管では、陰極から放射された電子は、陰極と陽極ターゲット間の電位勾配により加速、集束され、典型的には２０乃至１５０ｋｅＶのエネルギを持って、回転する陽極ターゲットのＸ線放射層表面にほぼ垂直（９０°±１０°）に衝突してＸ線発生源となる焦点を形成する。焦点に高いエネルギを持った電子ビームが衝突すると、電子ビームはＸ線放射層により急速に減速されるためＸ線が放出される。Ｘ線に変換される割合は、Ｘ線放射層に衝突する電子の運動エネルギの中の１％以下とわずかである。残りのエネルギは熱に変換される。
【０００４】
回転陽極型Ｘ線管の使用時において、陽極ターゲットには、陽極ターゲット自体の回転に伴う遠心力と、陽極ターゲットの外周側のＸ線放射層に加速された電子ビームが衝突することによる陽極ターゲットの外周側及び内周側の温度差に基づく熱応力と、が作用し、陽極ターゲットの内周側に大きな引っ張り歪みがもたらされる。
【０００５】
この歪みは、陽極ターゲットの径が大きい程、また回転数が高い程、さらにまた電子ビームのパワーが高い程大きい。この歪みが許容限度を越えると、陽極ターゲット表面に亀裂が発生して陽極ターゲットが破壊される恐れがある。また、陽極ターゲットに永久変形が発生し、陽極ターゲットが不平衡状態となる結果、陽極ターゲットの回転軸は一層アンバランスとなってしまう。ひいては回転陽極型Ｘ線管の振動が増大し、回転陽極型Ｘ線管に許容できない振動が発生する恐れもある。この場合、回転陽極型Ｘ線管の性能が大きく劣化する恐れがある。
【０００６】
そこで、上記の問題を解決するため、陽極ターゲットの外周面から内側に向って形成された複数のスリットを有したスリット付き陽極ターゲットを採用することが有効であることが知られている（例えば、特許文献１参照）。
【先行技術文献】
【特許文献】
【０００７】
【特許文献１】特公昭４７−３４７９６号公報
【発明の概要】
【発明が解決しようとする課題】
【０００８】
上記の回転陽極型Ｘ線管は以下に述べる問題がある。  
スリット付き陽極ターゲットでは、スリットの終端部に応力が集中することになる。特に、陽極ターゲットの回転数が高い程この応力が大きくなり、１秒間に１００回転以上、高速回転させた場合にはスリットの終端部に亀裂が発生して、陽極ターゲットが破壊される危険が高まる。
【０００９】
この発明は以上の点に鑑みなされたもので、その目的は、低振動の安定した動作が可能であり、信頼性が高く、製品寿命の長期化を図ることが可能な回転陽極型Ｘ線管及び回転陽極型Ｘ線管装置を提供することにある。
【課題を解決するための手段】
【００１０】
上記課題を解決するため、本発明の態様に係る回転陽極型Ｘ線管は、
回転軸を中心に回転可能であり、電子が入射されることによりＸ線を放射するＸ線放射層と、それぞれ前記外周面から前記回転軸に向かって凹んで形成され前記回転軸側に終端部を有した複数のスリットと、前記回転軸に同心的に凹凸して形成され凸部が凹部より前記回転軸側に位置した第１凹凸部と、を含んだ陽極ターゲットと、
前記回転軸に同心的に凹凸して形成され凹部が凸部より前記回転軸側に位置し前記第１凹凸部に嵌合された第２凹凸部を有した補強部材と、
前記回転軸に沿って延出して筒状に形成され、前記回転軸を中心に回転可能な回転体と、
前記陽極ターゲット及び回転体を結合した継手部と、
前記回転軸に沿って延出して前記回転体の内部に設けられ、前記回転体を回転可能に支持する固定体と、
前記Ｘ線放射層に電子を入射させ、前記Ｘ線放射層に焦点を形成する陰極と、
前記陽極ターゲット及び陰極を収容した真空外囲器と、を備え、
前記第１凹凸部及び第２凹凸部は、前記第２凹凸部の凸部が前記第１凹凸部の凸部より外側に位置し前記終端部より外側で前記第１凹凸部の凸部と互いに圧力を提供し合う締り嵌めされることにより、嵌合されていることを特徴としている。
【００１１】
また、本発明の他の態様に係る回転陽極型Ｘ線管装置は、
上記回転陽極型Ｘ線管と、
前記回転体に与える磁界を発生して前記回転体及び陽極ターゲットを回転させる回転駆動機構と、
前記回転陽極型Ｘ線管及び回転駆動機構を収容した筐体と、を備えていることを特徴としている。
【発明の効果】
【００１２】
この発明によれば、低振動の安定した動作が可能であり、信頼性が高く、製品寿命の長期化を図ることが可能な回転陽極型Ｘ線管及び回転陽極型Ｘ線管装置を提供することができる。
【図面の簡単な説明】
【００１３】
【図１】本発明の第１の実施の形態に係る回転陽極型のＸ線管装置を示す断面図である。
【図２】図１に示した回転陽極型のＸ線管を示す断面図である。
【図３】図２に示した陽極ターゲットを拡大して示す平面図である。
【図４】図３の線ＩＶ−ＩＶに沿った陽極ターゲットを示す断面図である。
【図５】図２に示した継手部を拡大して示す断面図である。
【図６】上記第１の実施の形態の陽極ターゲット及び継手部が嵌合され、固定されている状態を示す断面図である。
【図７】本発明の第２の実施の形態に係る回転陽極型のＸ線管装置の陽極ターゲットを拡大して示す平面図である。
【図８】図７の線ＶＩＩＩ−ＶＩＩＩに沿った陽極ターゲットを示す断面図である。
【図９】上記第２の実施の形態の継手部を拡大して示す断面図である。
【図１０】上記第２の実施の形態の陽極ターゲット及び継手部が嵌合され、固定されている状態を示す断面図である。
【図１１】本発明の第３の実施の形態に係る回転陽極型のＸ線管装置の陽極ターゲット、継手部、回転体及び固定体を示す断面図である。
【図１２】図１１に示した陽極ターゲットを拡大して示す平面図である。
【図１３】図１２の線ＸＩＩＩ−ＸＩＩＩに沿った陽極ターゲットを示す断面図である。
【図１４】図１１に示した継手部を拡大して示す断面図である。
【図１５】上記第３の実施の形態の陽極ターゲット及び継手部が嵌合され、固定されている状態を示す断面図である。
【図１６】本発明の第４の実施の形態に係る回転陽極型のＸ線管装置の陽極ターゲット、補強部材、継手部、回転体及び固定体を示す断面図である。
【図１７】図１６に示した陽極ターゲットを拡大して示す平面図である。
【図１８】図１７の線ＸＶＩＩＩ−ＸＶＩＩＩに沿った陽極ターゲットを示す断面図であり、継手部も併せて示す断面図である。
【図１９】図１６に示した補強部材を拡大して示す断面図である。
【図２０】上記第４の実施の形態の陽極ターゲット及び補強部材が嵌合され、固定され、継手部が陽極ターゲットに接合されている状態を示す断面図である。
【図２１】上記第１の実施の形態の陽極ターゲットの変形例を示す断面図である。
【発明を実施するための形態】
【００１４】
以下、図面を参照しながらこの発明の第１の実施の形態に係る回転陽極型Ｘ線管を備えた回転陽極型Ｘ線管装置について詳細に説明する。  
図１に示すように、回転陽極型のＸ線管装置は、回転陽極型のＸ線管１と、回転駆動機構として磁界を発生させるステータコイル（電磁コイル）６と、Ｘ線管１及びステータコイル６を収容した筐体２と、筐体２内に充填された冷却液としての絶縁油３と、冷却器７とを備えている。
【００１５】
図１及び図２に示すように、Ｘ線管１は、陽極ターゲット１０と、補強部材２０と、回転体３０と、継手部４０と、固定体５０と、陰極６０と、真空外囲器８０と、を備えている。
【００１６】
図２に示すように、陽極ターゲット１０は、ターゲット本体１１と、電子が入射されることによりＸ線を放射するＸ線放射層１２と、を有している。ターゲット本体１１は、金属として例えばモリブデン合金で形成されている。Ｘ線放射層１２は、金属として例えばタングステン合金で形成されている。陽極ターゲット１０は、回転軸ａを中心に平衡状態にあり、回転軸ａを中心に回転可能である。
【００１７】
回転体３０は、この回転体の回転動作の中心軸となる回転軸ａに沿って延出して筒状に形成されている。回転体３０は、回転軸ａを中心に回転可能である。回転体３０は、Ｆｅ（鉄）合金やＭｏ（モリブデン）合金等の材料で形成されている。  
継手部４０は、陽極ターゲット１０及び回転体３０を結合している。
【００１８】
固定体５０は、柱状に形成され、回転体３０及び陽極ターゲット１０と同軸的に設けられている。固定体５０は、回転軸ａに沿って延出して回転体３０の内部に設けられている。固定体５０は、Ｆｅ合金やＭｏ合金等の材料で形成されている。固定体５０は回転体３０を回転可能に支持している。
【００１９】
陰極６０は、陽極ターゲット１０のＸ線放射層１２に間隔を置いて対向配置されている。陰極６０は、陰極構体７０に取付けられている。陰極６０は、電子を放出する電子放出源としてのフィラメント６１を有している。陰極６０は、Ｘ線放射層１２に電子を入射させ、Ｘ線放射層１２に焦点を形成するものである。
【００２０】
図１及び図２に示すように、真空外囲器８０は、円筒状に形成されている。真空外囲器８０は金属およびガラスで形成されている。真空外囲器８０において、陽極ターゲット１０と対向した個所の径は、回転体３０と対向した個所の径より大きい。真空外囲器８０は、真空外囲器８０の気密状態を維持するよう、固定体５０の一端部及び陰極構体７０と接合されている。真空外囲器８０は、陰極６０と対向したＸ線放射層１２付近にＸ線を出射させるＸ線放射窓８１を有している。真空外囲器８０は、密閉され、陽極ターゲット１０、回転体３０、継手部４０、固定体５０及び陰極６０等を収容している。真空外囲器８０の内部は真空状態に維持されている。
【００２１】
ステータコイル６は、回転体３０の側面に対向して真空外囲器８０の外側を囲むように設けられている。ステータコイル６は、回転体３０に与える磁界を発生して回転体３０及び陽極ターゲット１０を回転させるものである。ステータコイル６に所定の電流が供給されることで、回転体３０及び陽極ターゲット１０は所定の速度で回転する。
【００２２】
筐体２は、陰極６０と対向したＸ線放射層１２付近にＸ線を出射させるＸ線放射窓２ａを有している。筐体２の内部には、Ｘ線管１及びステータコイル６が収容されている他、絶縁油３が充填されている。
【００２３】
冷却器７は、熱交換器７ａ及びポンプ（絶縁油循環ポンプ）７ｂを有している。筐体２内に供給される絶縁油３は、熱交換器７ａにより冷却される。ポンプ７ｂは、絶縁油３を、熱交換器７ａを循環させるとともに、筐体２に設けられた入り口及び出口を介し、筐体２内に形成された循環路を循環させる。これにより、Ｘ線管１において発生する熱が、絶縁油３を媒介として、筐体２の外部へ放出される。  
上記のように、回転陽極型のＸ線管装置が構成されている。
【００２４】
次に、上記Ｘ線管１について詳しく説明する。  
図２乃至図４に示すように、ターゲット本体１１は、回転軸ａを中心軸とした円盤状に形成されている。ターゲット本体１１の一端面の外周側は、環状のテーパ面である。Ｘ線放射層１２は、環状であり、ターゲット本体１１のテーパ面上に形成されている。このため、Ｘ線放射層１２の表面もテーパ面である。Ｘ線放射層１２は、陽極ターゲット１０の一端面１０ａの外周側を形成している。ターゲット本体１１の他端面側には、穴部１１ａが形成されている。穴部１１ａは、ターゲット本体１１を円盤状に窪めて形成されている。
【００２５】
陽極ターゲット１０は、複数のスリット１３を有している。スリット１３は、それぞれ陽極ターゲット１０の外周面１０ｂから回転軸ａに向かって凹んで形成されている。スリット１３は、回転軸ａ側に終端部１３ａを有している。
【００２６】
この実施の形態において、スリット１３は、回転軸ａから放射状に直線的に形成されている。スリット１３は、回転軸ａに同軸の周りで等間隔に位置している。スリット１３の終端部１３ａの幅Ｗ１は、スリット１３の外周面１０ｂ側の幅Ｗ２より大きい。スリット１３の終端部１３ａは、断面形状が円形であり、直径が幅Ｗ１であり、回転軸ａに沿った方向に延びた貫通孔で形成されている。
【００２７】
陽極ターゲット１０は、第１凹凸部としての凹凸部１５を有している。凹凸部１５は穴部１１ａに形成されている。凹凸部１５は回転軸ａに同心的に凹凸して形成されている。凹凸部１５は、凸部１５ａ及び凹部１５ｂを有している。凸部１５ａは凹部１５ｂより回転軸ａ側に位置している。
【００２８】
凸部１５ａ及び凹部１５ｂの境界面は、終端部１３ａより陽極ターゲット１０の外周面１０ｂ側に位置している。凸部１５ａ及び凹部１５ｂの境界面は、回転軸ａを中心とする直径Ｄ１の円形である。言い換えると、凸部１５ａは外径がＤ１の円柱状であり、凹部１５ｂは内径がＤ１の環状である。
【００２９】
図２、図４及び図５に示すように、継手部４０は、陽極ターゲット１０及び回転体３０間に位置している。継手部４０は、陽極ターゲット１０と同一材料で形成され、この実施の形態において、継手部４０はモリブデン合金で形成されている。
【００３０】
補強部材２０は、継手部４０に形成されている。補強部材２０は、第２凹凸部としての凹凸部２５を有している。凹凸部２５は、凹凸部１５と対向した側の継手部４０に形成されている。凹凸部２５は回転軸ａに同心的に凹凸して形成されている。凹凸部２５は、凸部２５ａ及び凹部２５ｂを有している。凹部２５ｂは凸部２５ａより回転軸ａ側に位置している。
【００３１】
凸部２５ａ及び凹部２５ｂの境界面は、回転軸ａを中心とする直径Ｄ２の円形である。言い換えると、凸部２５ａは内径がＤ２の環状であり、凹部２５ｂは外径がＤ２の環状である。
【００３２】
図６に示すように、凹凸部２５は、凹凸部１５に嵌合されている。詳しくは、凹凸部１５及び凹凸部２５は、凹凸部２５の凸部２５ａが凹凸部１５の凸部１５ａより外側に位置し終端部１３ａより外側で凹凸部１５の凸部１５ａと互いに圧力（接触圧力）を提供し合う締り嵌めされることにより、嵌合されている。
【００３３】
継手部４０は、終端部１３ａと対向した個所に設けられた複数のネジ孔４０ａを有している。  
Ｘ線管１は、複数の締め具として複数のネジ（固定ネジ）９０を有している。複数のネジ９０は、複数の終端部１３ａに挿入され、継手部４０内に嵌められている。詳しくは、ネジ９０はネジ孔４０ａに嵌められている。ネジ９０は、陽極ターゲット１０及び継手部４０を締め付けている。このため、陽極ターゲット１０及び継手部４０はネジ９０により固定されている。
【００３４】
図２に示すように、回転体３０は、一端部が閉塞された筒状の本体３１と、蓋部３２とで形成されている。蓋部３２は、複数のネジ３３により、本体３１の他端部に取り外し可能にネジ留めされている。固定体５０は、回転体３０の内部に嵌合され、一端部が回転体３０の外側に突出し露出されている。この実施の形態において、Ｘ線管１は、片端支持軸受構造を採用している。
【００３５】
回転体３０及び固定体５０は、互いに２０乃至３０μｍ程度の隙間を置いて設けられている。固定体５０は、回転体３０を回転可能に支持している。図示しないが、回転体３０及び固定体５０間の隙間には、金属潤滑剤が充填されている。回転体３０、固定体５０及び金属潤滑剤は、ラジアルすべり軸受けを形成している。
【００３６】
蓋部３２は、円環状に形成され、固定体５０の側面全周に亘って隙間を置いて設けられている。蓋部３２は、回転体３０及び固定体５０の回転軸ａに沿った方向への相対的なズレを規制するものである。
【００３７】
蓋部３２及び固定体５０間の隙間（クリアランス）は、回転体３０の回転を維持するとともに金属潤滑剤の漏洩を抑制できる値に設定されている。上記したことから、隙間はわずかである。また、回転軸ａに沿った方向において、固定体５０、蓋部３２及び金属潤滑剤は、スラスト軸受けを形成している。
【００３８】
上記のように構成された第１の実施の形態に係るＸ線管１及びＸ線管装置によれば、Ｘ線管１は、Ｘ線放射層１２と、終端部１３ａを有した複数のスリット１３と、凹凸部１５とを有した陽極ターゲット１０と、凹凸部１５に嵌合された凹凸部２５を有した補強部材２０と、回転体３０と、継手部４０と、固定体５０と、陰極６０と、真空外囲器８０と、を備えている。補強部材２０は、継手部４０に形成されている。
【００３９】
凹凸部１５及び凹凸部２５は、凹凸部２５の凸部２５ａが凹凸部１５の凸部１５ａより外側に位置し終端部１３ａより外側で凹凸部１５の凸部１５ａと互いに圧力（接触圧力）を提供し合う締り嵌めされることにより、嵌合されている。
【００４０】
陽極ターゲット１０及び継手部４０の嵌合部は、陽極ターゲット１０に発生する遠心力及び熱応力を広い面積で均一に受け止めることができるため、従来、終端部１３ａに局所的に加わっていた過大な応力の発生を防止することができる。そして、スリット１３の終端部１３ａに生じる恐れのあった亀裂の発生を防止することができるため、陽極ターゲット１０の破壊を防止することができる。
【００４１】
直径Ｄ１は、直径Ｄ２よりも大きく設定されることが好ましい。これにより、凸部１５ａの外周面及び凸部２５ａの内周面の良好な接触状態を維持することができるため、陽極ターゲット１０及び継手部４０の嵌合部の連結強度をより高めることができる。
【００４２】
陽極ターゲット１０の温度が上昇し高温となっても、凸部１５ａ及び凸部２５ａは、互いに接触圧力を提供し合うことができるため、陽極ターゲット１０及び継手部４０の嵌合部の連結強度が低下する恐れはない。
【００４３】
陽極ターゲット１０は、スリット１３を有している。これにより、陽極ターゲット１０に発生する恐れのある永久変形を低減することができ、ひいてはＸ線管１に発生する恐れのある不所望な振動を低減することができる。このため、Ｘ線管１は、低振動の安定した動作が可能であり、性能の劣化を低減することができる。
【００４４】
スリット１３の終端部１３ａの幅は、スリット１３の外周面１０ｂ側の幅より大きい。これにより、終端部１３ａへの応力（熱応力及び遠心力）の集中を抑制することができる。終端部１３ａは、断面形状が円形の貫通孔で形成されている。終端部１３ａの形状を円形にすることにより、終端部１３ａへの応力の集中を一層抑制することができる。
【００４５】
陽極ターゲット１０及び継手部４０はネジ９０により固定されている。これにより、陽極ターゲット１０の回転軸ａに沿った方向のガタツキを抑制でき、陽極ターゲット１０の回転軸ａの傾ぎを抑制することができる。  
上記のことから、低振動の安定した動作が可能であり、信頼性が高く、製品寿命の長期化を図ることが可能な回転陽極型のＸ線管１及び回転陽極型のＸ線管装置を得ることができる。
【００４６】
次に、この発明の第２の実施の形態に係る回転陽極型Ｘ線管を備えた回転陽極型Ｘ線管装置について説明する。この実施の形態のＸ線管装置は、Ｘ線管１が上記ネジ９０を備えておらず、ナット１００をさらに備え、陽極ターゲット１０及び継手部４０の構成が異なる以外、上記第１の実施の形態のＸ線管装置と同様に構成され、その詳細な説明は省略する。
【００４７】
図７及び図８に示すように、ターゲット本体１１は、回転軸ａを中心軸とした円盤状に形成されている。ターゲット本体１１の一端面の外周側は、環状のテーパ面である。Ｘ線放射層１２は、環状であり、ターゲット本体１１のテーパ面上に形成されている。このため、Ｘ線放射層１２の表面もテーパ面である。Ｘ線放射層１２は、陽極ターゲット１０の一端面１０ａの外周側を形成している。
【００４８】
ターゲット本体１１の他端面側には、穴部１１ａが形成されている。穴部１１ａは、ターゲット本体１１を円盤状に窪めて形成されている。ターゲット本体１１には、孔部１１ｂが形成されている。孔部１１ｂは、断面形状が円形であり、回転軸ａに沿った方向に延び、穴部１１ａ及び一端面１０ａに開口して形成されている。
【００４９】
陽極ターゲット１０は、複数のスリット１３を有している。スリット１３は、それぞれ陽極ターゲット１０の外周面１０ｂから回転軸ａに向かって凹んで形成されている。スリット１３は、回転軸ａ側に終端部１３ａを有している。
【００５０】
この実施の形態において、スリット１３は、回転軸ａから放射状に直線的に形成されている。スリット１３は、回転軸ａに同軸の周りで等間隔に位置している。スリット１３の終端部１３ａの幅Ｗ１は、スリット１３の外周面１０ｂ側の幅Ｗ２より大きい。スリット１３の終端部１３ａは、断面形状が円形であり、直径が幅Ｗ１であり、回転軸ａに沿った方向に延びた貫通孔で形成されている。
【００５１】
陽極ターゲット１０は、第１凹凸部としての凹凸部１５を有している。凹凸部１５は穴部１１ａに形成されている。凹凸部１５は回転軸ａに同心的に凹凸して形成されている。凹凸部１５は、凸部１５ａ及び凹部１５ｂを有している。凸部１５ａは凹部１５ｂより回転軸ａ側に位置している。
【００５２】
凸部１５ａ及び凹部１５ｂの境界面は、終端部１３ａより陽極ターゲット１０の外周面１０ｂ側に位置している。凸部１５ａ及び凹部１５ｂの境界面は、回転軸ａを中心とする直径Ｄ１の円形である。言い換えると、凸部１５ａは外径がＤ１の円柱状であり、凹部１５ｂは内径がＤ１の環状である。
【００５３】
図９に示すように、継手部４０は、回転軸ａに沿った方向に突出した突出部４１を有している。  
補強部材２０は、継手部４０に形成されている。補強部材２０は、第２凹凸部としての凹凸部２５を有している。凹凸部２５は、凹凸部１５と対向した側の継手部４０に形成されている。凹凸部２５は回転軸ａに同心的に凹凸して形成されている。凹凸部２５は、凸部２５ａ及び凹部２５ｂを有している。凹部２５ｂは凸部２５ａより回転軸ａ側に位置している。
【００５４】
凸部２５ａ及び凹部２５ｂの境界面は、回転軸ａを中心とする直径Ｄ２の円形である。言い換えると、凸部２５ａは内径がＤ２の環状であり、凹部２５ｂは外径がＤ２の環状である。
【００５５】
図１０に示すように、凹凸部２５は、凹凸部１５に嵌合されている。詳しくは、凹凸部１５及び凹凸部２５は、凹凸部２５の凸部２５ａが凹凸部１５の凸部１５ａより外側に位置し終端部１３ａより外側で凹凸部１５の凸部１５ａと互いに圧力（接触圧力）を提供し合う締り嵌めされることにより、嵌合されている。
【００５６】
Ｘ線管１は、締め具としてのナット１００を有している。継手部４０の突出部４１は、陽極ターゲット１０の孔部１１ｂを通って孔部１１ｂの外側に突出している。ナット１００は、孔部１１ｂの外側に突出した突出部４１に嵌め合わされている。ナット１００は、陽極ターゲット１０及び継手部４０を締め付けている。このため、陽極ターゲット１０及び継手部４０はナット１００により固定されている。
【００５７】
上記のように構成された第２の実施の形態に係るＸ線管１及びＸ線管装置によれば、Ｘ線管１は、Ｘ線放射層１２と、終端部１３ａを有した複数のスリット１３と、凹凸部１５とを有した陽極ターゲット１０と、凹凸部１５に嵌合された凹凸部２５を有した補強部材２０と、継手部４０と、を備えている。補強部材２０は、継手部４０に形成されている。Ｘ線管１は、図２に示した回転体３０、固定体５０、陰極６０及び真空外囲器８０も備えている。
【００５８】
凹凸部１５及び凹凸部２５は、凹凸部２５の凸部２５ａが凹凸部１５の凸部１５ａより外側に位置し終端部１３ａより外側で凹凸部１５の凸部１５ａと互いに圧力（接触圧力）を提供し合う締り嵌めされることにより、嵌合されている。
【００５９】
陽極ターゲット１０及び継手部４０の嵌合部は、陽極ターゲット１０に発生する遠心力及び熱応力を広い面積で均一に受け止めることができるため、従来、終端部１３ａに局所的に加わっていた過大な応力の発生を防止することができる。そして、スリット１３の終端部１３ａに生じる恐れのあった亀裂の発生を防止することができるため、陽極ターゲット１０の破壊を防止することができる。
【００６０】
陽極ターゲット１０及び継手部４０はナット１００により固定されている。これにより、陽極ターゲット１０の回転軸ａに沿った方向のガタツキを抑制でき、陽極ターゲット１０の回転軸ａの傾ぎを抑制することができる。  
その他、第２の実施の形態のＸ線管装置は、上述した第１の実施の形態のＸ線管装置と同様の効果を得ることができる。
【００６１】
上記のことから、低振動の安定した動作が可能であり、信頼性が高く、製品寿命の長期化を図ることが可能な回転陽極型のＸ線管１及び回転陽極型のＸ線管装置を得ることができる。
【００６２】
次に、この発明の第３の実施の形態に係る回転陽極型Ｘ線管を備えた回転陽極型Ｘ線管装置について説明する。この実施の形態のＸ線管装置は、陽極ターゲット１０、継手部４０、回転体３０及び固定体５０の構成が異なる以外、上記第１の実施の形態のＸ線管装置と同様に構成され、その詳細な説明は省略する。
【００６３】
図１１乃至図１３に示すように、ターゲット本体１１は、回転軸ａを中心軸とした円盤状に形成されている。ターゲット本体１１の一端面の外周側は、環状のテーパ面である。Ｘ線放射層１２は、環状であり、ターゲット本体１１のテーパ面上に形成されている。このため、Ｘ線放射層１２の表面もテーパ面である。Ｘ線放射層１２は、陽極ターゲット１０の一端面１０ａの外周側を形成している。
【００６４】
ターゲット本体１１の他端面側には、穴部１１ａが形成されている。穴部１１ａは、ターゲット本体１１を円盤状に窪めて形成されている。ターゲット本体１１には、孔部１１ｂが形成されている。孔部１１ｂは、断面形状が円形であり、回転軸ａに沿った方向に延び、穴部１１ａ及び一端面１０ａに開口して形成されている。このため、ターゲット本体１１は、環状に形成されていると言い換えることができる。
【００６５】
陽極ターゲット１０は、複数のスリット１３を有している。スリット１３は、それぞれ陽極ターゲット１０の外周面１０ｂから回転軸ａに向かって凹んで形成されている。スリット１３は、回転軸ａ側に終端部１３ａを有している。
【００６６】
この実施の形態において、スリット１３は、回転軸ａから放射状に直線的に形成されている。スリット１３は、回転軸ａに同軸の周りで等間隔に位置している。スリット１３の終端部１３ａの幅Ｗ１は、スリット１３の外周面１０ｂ側の幅Ｗ２より大きい。スリット１３の終端部１３ａは、断面形状が円形であり、直径が幅Ｗ１であり、回転軸ａに沿った方向に延びた貫通孔で形成されている。
【００６７】
陽極ターゲット１０は、第１凹凸部としての凹凸部１５を有している。凹凸部１５は穴部１１ａに形成されている。凹凸部１５は回転軸ａに同心的に凹凸して形成されている。凹凸部１５は、凸部１５ａ及び凹部１５ｂを有している。凸部１５ａは凹部１５ｂより回転軸ａ側に位置している。
【００６８】
凸部１５ａ及び凹部１５ｂの境界面は、終端部１３ａより陽極ターゲット１０の外周面１０ｂ側に位置している。凸部１５ａ及び凹部１５ｂの境界面は、回転軸ａを中心とする直径Ｄ１の円形である。言い換えると、凸部１５ａは外径がＤ１の円柱状であり、凹部１５ｂは内径がＤ１の環状である。
【００６９】
図１１乃至図１４に示すように、継手部４０は、回転体３０の外側に位置している。継手部４０は、陽極ターゲット１０と同一材料で形成され、この実施の形態において、継手部４０はモリブデン合金で形成されている。継手部４０には、孔部４０ｂが形成されている。孔部４０ｂは、断面形状が円形であり、回転軸ａに沿った方向に延び、回転軸ａに沿った方向の両端面に開口している。孔部４０ｂの径は、孔部１１ｂの径と同一のサイズである。
【００７０】
補強部材２０は、孔部４０ｂの形状を維持して継手部４０に形成されている。補強部材２０は、第２凹凸部としての凹凸部２５を有している。凹凸部２５は、凹凸部１５と対向した側の継手部４０に形成されている。凹凸部２５は回転軸ａに同心的に凹凸して形成されている。凹凸部２５は、凸部２５ａ及び凹部２５ｂを有している。凹部２５ｂは凸部２５ａより回転軸ａ側に位置している。
【００７１】
凸部２５ａ及び凹部２５ｂの境界面は、回転軸ａを中心とする直径Ｄ２の円形である。言い換えると、凸部２５ａは内径がＤ２の環状であり、凹部２５ｂは外径がＤ２の環状である。
【００７２】
図１５に示すように、凹凸部２５は、凹凸部１５に嵌合されている。詳しくは、凹凸部１５及び凹凸部２５は、凹凸部２５の凸部２５ａが凹凸部１５の凸部１５ａより外側に位置し終端部１３ａより外側で凹凸部１５の凸部１５ａと互いに圧力（接触圧力）を提供し合う締り嵌めされることにより、嵌合されている。
【００７３】
継手部４０は、終端部１３ａと対向した個所に設けられた複数のネジ孔４０ａを有している。  
Ｘ線管１は、複数のネジ９０を有している。複数のネジ９０は、複数の終端部１３ａに挿入され、継手部４０内に嵌められている。詳しくは、ネジ９０はネジ孔４０ａに嵌められている。ネジ９０は、陽極ターゲット１０及び継手部４０を締め付けている。このため、陽極ターゲット１０及び継手部４０はネジ９０により固定されている。
【００７４】
図１１に示すように、回転体３０は、筒状の本体３１と、蓋部３２とで形成されている。蓋部３２は、複数のネジ３３により、本体３１の他端部に取り外し可能にネジ留めされている。回転体３０の本体３１は、陽極ターゲット１０及び継手部４０の孔部１１ｂ及び孔部４０ｂに挿入されている。陽極ターゲット１０及び継手部４０は、それぞれ回転体３０に接合され、固定されている。なお、回転体３０には少なくとも継手部４０が接合され、固定されていればよい。固定体５０は、回転体３０の内部に設けられ、両端部が回転体３０の外側に突出し露出されている。この実施の形態において、Ｘ線管１は、両端支持軸受構造を採用している。
【００７５】
回転体３０及び固定体５０は、互いに２０乃至３０μｍ程度の隙間を置いて設けられている。固定体５０は、回転体３０を回転可能に支持している。図示しないが、回転体３０及び固定体５０間の隙間には、金属潤滑剤が充填されている。回転体３０、固定体５０及び金属潤滑剤は、ラジアルすべり軸受けを形成している。
【００７６】
蓋部３２は、円環状に形成され、固定体５０の側面全周に亘って隙間を置いて設けられている。本体３１の一端部も円環状に形成され、固定体５０の側面全周に亘って隙間を置いて設けられている。本体３１の一端部及び蓋部３２は、回転体３０及び固定体５０の回転軸ａに沿った方向への相対的なズレを規制するものである。
【００７７】
蓋部３２及び固定体５０間の隙間、並びに本体３１の一端部及び固定体５０間の隙間は、回転体３０の回転を維持するとともに金属潤滑剤の漏洩を抑制できる値に設定されている。上記したことから、隙間はわずかである。また、回転軸ａに沿った方向において、蓋部３２及び本体３１の一端部、固定体５０、並びに金属潤滑剤は、スラスト軸受けを形成している。
【００７８】
上記のように構成された第３の実施の形態に係るＸ線管１及びＸ線管装置によれば、Ｘ線管１は、Ｘ線放射層１２と、終端部１３ａを有した複数のスリット１３と、凹凸部１５とを有した陽極ターゲット１０と、凹凸部１５に嵌合された凹凸部２５を有した補強部材２０と、継手部４０と、回転体３０と、固定体と５０、を備えている。補強部材２０は、継手部４０に形成されている。Ｘ線管１は、図２に示した陰極６０及び真空外囲器８０も備えている。
【００７９】
凹凸部１５及び凹凸部２５は、凹凸部２５の凸部２５ａが凹凸部１５の凸部１５ａより外側に位置し終端部１３ａより外側で凹凸部１５の凸部１５ａと互いに圧力（接触圧力）を提供し合う締り嵌めされることにより、嵌合されている。
【００８０】
陽極ターゲット１０及び継手部４０の嵌合部は、陽極ターゲット１０に発生する遠心力及び熱応力を広い面積で均一に受け止めることができるため、従来、終端部１３ａに局所的に加わっていた過大な応力の発生を防止することができる。そして、スリット１３の終端部１３ａに生じる恐れのあった亀裂の発生を防止することができるため、陽極ターゲット１０の破壊を防止することができる。
【００８１】
固定体５０は、両端部が真空外囲器８０に固定されている。このため、固定体５０の一端部のみが真空外囲器８０に固定されている場合に比べ、固定体５０を固定する強度を向上することができる。  
その他、第３の実施の形態のＸ線管装置は、上述した第１の実施の形態のＸ線管装置と同様の効果を得ることができる。
【００８２】
上記のことから、低振動の安定した動作が可能であり、信頼性が高く、製品寿命の長期化を図ることが可能な回転陽極型のＸ線管１及び回転陽極型のＸ線管装置を得ることができる。
【００８３】
次に、この発明の第４の実施の形態に係る回転陽極型Ｘ線管を備えた回転陽極型Ｘ線管装置について説明する。この実施の形態のＸ線管装置は、陽極ターゲット１０、補強部材２０、継手部４０、回転体３０及び固定体５０の構成が異なる以外、上記第１の実施の形態のＸ線管装置と同様に構成され、その詳細な説明は省略する。
【００８４】
図１６乃至図１８に示すように、ターゲット本体１１は、回転軸ａを中心軸とした円盤状に形成されている。ターゲット本体１１の一端面の外周側は、環状のテーパ面である。Ｘ線放射層１２は、環状であり、ターゲット本体１１のテーパ面上に形成されている。このため、Ｘ線放射層１２の表面もテーパ面である。Ｘ線放射層１２は、陽極ターゲット１０の一端面１０ａの外周側を形成している。
【００８５】
ターゲット本体１１の一端面１０ａ側には、穴部１１ａが形成されている。穴部１１ａは、ターゲット本体１１を円盤状に窪めて形成されている。ターゲット本体１１には、穴部１１ｃが形成されている。穴部１１ｃは、穴部１１ａに形成され、回転軸ａに沿った方向に延び、一端面１０ａに開口して形成されている。この実施の形態において、穴部１１ｃは、ネジ穴である。
【００８６】
陽極ターゲット１０は、複数のスリット１３を有している。スリット１３は、それぞれ陽極ターゲット１０の外周面１０ｂから回転軸ａに向かって凹んで形成されている。スリット１３は、回転軸ａ側に終端部１３ａを有している。
【００８７】
この実施の形態において、スリット１３は、回転軸ａから放射状に直線的に形成されている。スリット１３は、回転軸ａに同軸の周りで等間隔に位置している。スリット１３の終端部１３ａの幅Ｗ１は、スリット１３の外周面１０ｂ側の幅Ｗ２より大きい。スリット１３の終端部１３ａは、断面形状が円形であり、直径が幅Ｗ１であり、回転軸ａに沿った方向に延びた貫通孔で形成されている。
【００８８】
陽極ターゲット１０は、第１凹凸部としての凹凸部１５を有している。凹凸部１５は穴部１１ａに形成されている。凹凸部１５は回転軸ａに同心的に凹凸して形成されている。凹凸部１５は、凸部１５ａ及び凹部１５ｂを有している。凸部１５ａは凹部１５ｂより回転軸ａ側に位置している。
【００８９】
凸部１５ａ及び凹部１５ｂの境界面は、終端部１３ａより陽極ターゲット１０の外周面１０ｂ側に位置している。凸部１５ａ及び凹部１５ｂの境界面は、回転軸ａを中心とする直径Ｄ１の円形である。言い換えると、凸部１５ａは外径がＤ１の円柱状であり、凹部１５ｂは内径がＤ１の環状である。
【００９０】
図１６乃至図１９に示すように、継手部４０は、陽極ターゲット１０及び回転体３０間に位置している。継手部４０は、回転軸ａを中心とする筒状に形成され、回転体３０に同軸的に設けられている。継手部４０は、ターゲット本体１１の他端面に接合されている。継手部４０は、陽極ターゲット１０と同一材料で形成され、この実施の形態において、継手部４０はモリブデン合金で形成されている。
【００９１】
補強部材２０は、陽極ターゲット１０に対して継手部４０の反対側に位置している。
【００９２】
補強部材２０は、回転軸ａを中心軸とした円盤状に形成されている。補強部材２０は、貫通孔２０ａを有している。貫通孔２０ａは、回転軸ａに沿った方向に延び、穴部１１ｃに重ねられ、補強部材２０の両端面に開口している。
【００９３】
補強部材２０は、第２凹凸部としての凹凸部２５を有している。凹凸部２５は、凹凸部１５と対向した側に形成されている。凹凸部２５は回転軸ａに同心的に凹凸して形成されている。凹凸部２５は、凸部２５ａ及び凹部２５ｂを有している。凹部２５ｂは凸部２５ａより回転軸ａ側に位置している。
【００９４】
凸部２５ａ及び凹部２５ｂの境界面は、回転軸ａを中心とする直径Ｄ２の円形である。言い換えると、凸部２５ａは内径がＤ２の環状であり、凹部２５ｂは外径がＤ２の環状である。
【００９５】
図２０に示すように、凹凸部２５は、凹凸部１５に嵌合されている。詳しくは、凹凸部１５及び凹凸部２５は、凹凸部２５の凸部２５ａが凹凸部１５の凸部１５ａより外側に位置し終端部１３ａより外側で凹凸部１５の凸部１５ａと互いに圧力（接触圧力）を提供し合う締り嵌めされることにより、嵌合されている。
【００９６】
Ｘ線管１は、締め具としてネジ９０を有している。ネジ９０は、貫通孔２０ａに挿入され、陽極ターゲット１０内に嵌められている。詳しくは、ネジ９０はネジ穴である穴部１１ｃに嵌められている。ネジ９０は、陽極ターゲット１０及び補強部材２０を締め付けている。このため、陽極ターゲット１０及び補強部材２０はネジ９０により固定されている。
【００９７】
また、この実施の形態のネジ９０はガス抜き孔９０ａを有している。このため、穴部１１ｃを貫通孔とすることなくネジ９０により陽極ターゲット１０及び補強部材２０を良好に締め付けることができる。また、穴部１１ｃが、陽極ターゲット１０の他端面に開口しないことから、陽極ターゲット１０の他端面を、例えばスラスト軸受面として使用することも可能となる。
【００９８】
図１６に示すように、回転体３０は、筒状の本体３１と、蓋部３２とで形成されている。蓋部３２は、複数のネジ３３により、本体３１の他端部に取り外し可能にネジ留めされている。回転体３０の本体３１は、継手部４０に接続されている。本体３１の内径は、継手部４０の内径と同一か、それ以下のサイズである。この実施の形態において、本体３１の内径は、継手部４０の内径と同一のサイズである。本体３１は継手部４０に連通されている。
【００９９】
固定体５０は、回転体３０及び継手部４０の内部に設けられている。言い換えると、固定体５０は、ターゲット本体１１の他端面、継手部４０の内周面及び本体３１の内周面で囲まれた領域に嵌合されている。固定体５０の一端部は、回転体３０の外側に突出し露出している。この実施の形態において、Ｘ線管１は、片端支持軸受構造を採用している。
【０１００】
回転体３０及び継手部４０、並びに固定体５０は、互いに２０乃至３０μｍ程度の隙間を置いて設けられている。固定体５０は、回転体３０、継手部４０及び陽極ターゲット１０を回転可能に支持している。図示しないが、回転体３０及び継手部４０、並びに固定体５０間の隙間には、金属潤滑剤が充填されている。回転体３０及び継手部４０、固定体５０、並びに金属潤滑剤は、ラジアルすべり軸受けを形成している。
【０１０１】
蓋部３２は、円環状に形成され、固定体５０の側面全周に亘って隙間を置いて設けられている。蓋部３２は、回転体３０、継手部４０及び陽極ターゲット１０、並びに固定体５０の回転軸ａに沿った方向への相対的なズレを規制するものである。
【０１０２】
蓋部３２及び固定体５０間の隙間は、回転体３０の回転を維持するとともに金属潤滑剤の漏洩を抑制できる値に設定されている。上記したことから、隙間はわずかである。また、回転軸ａに沿った方向において、蓋部３２及びターゲット本体１１の他端面、固定体５０、並びに金属潤滑剤は、スラスト軸受けを形成している。
【０１０３】
上記のように構成された第４の実施の形態に係るＸ線管１及びＸ線管装置によれば、Ｘ線管１は、Ｘ線放射層１２と、終端部１３ａを有した複数のスリット１３と、凹凸部１５とを有した陽極ターゲット１０と、凹凸部１５に嵌合された凹凸部２５を有した補強部材２０と、継手部４０と、回転体３０と、固定体と５０、を備えている。Ｘ線管１は、図２に示した陰極６０及び真空外囲器８０も備えている。
【０１０４】
凹凸部１５及び凹凸部２５は、凹凸部２５の凸部２５ａが凹凸部１５の凸部１５ａより外側に位置し終端部１３ａより外側で凹凸部１５の凸部１５ａと互いに圧力（接触圧力）を提供し合う締り嵌めされることにより、嵌合されている。
【０１０５】
陽極ターゲット１０及び補強部材２０の嵌合部は、陽極ターゲット１０に発生する遠心力及び熱応力を広い面積で均一に受け止めることができるため、従来、終端部１３ａに局所的に加わっていた過大な応力の発生を防止することができる。そして、スリット１３の終端部１３ａに生じる恐れのあった亀裂の発生を防止することができるため、陽極ターゲット１０の破壊を防止することができる。
【０１０６】
補強部材２０は、陽極ターゲット１０に対して継手部４０の反対側に位置している。このため、陽極ターゲット１０の他端面を、スラスト軸受面として使用する等、陽極ターゲット１０の他端面側を様々な用途に使用することができる。  
その他、第４の実施の形態のＸ線管装置は、上述した第１の実施の形態のＸ線管装置と同様の効果を得ることができる。
【０１０７】
上記のことから、低振動の安定した動作が可能であり、信頼性が高く、製品寿命の長期化を図ることが可能な回転陽極型のＸ線管１及び回転陽極型のＸ線管装置を得ることができる。
【０１０８】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１０９】
例えば、上述した実施例１乃至４のＸ線放射層１２は、陽極ターゲット１０の一端面１０ａを形成しているが、これに限らず種々変形可能である。例えば、図２１に示すように、実施例１の陽極ターゲット１０の変形例において、Ｘ線放射層１２は、陽極ターゲット１０の外周面１０ｂを形成していてもよい。なお、この例では、陽極ターゲット１０の一端面１０ａは平坦である。  
この発明は、上記回転陽極型のＸ線管１及び回転陽極型のＸ線管装置に限らず、各種の回転陽極型のＸ線管及び回転陽極型のＸ線管装置に適用することができる。
【符号の説明】
【０１１０】
１…Ｘ線管、２…筐体、２ａ…Ｘ線放射窓、３…絶縁油、６…ステータコイル、１０…陽極ターゲット、１０ａ…一端面、１０ｂ…外周面、１１…ターゲット本体、１１ａ…穴部、１１ｂ…孔部、１１ｃ…穴部、１２…Ｘ線放射層、１３…スリット、１３ａ…終端部、１５，２５…凹凸部、１５ａ，２５ａ…凸部、１５ｂ，２５ｂ…凹部、２０…補強部材、２０ａ…貫通孔、３０…回転体、４０…継手部、４０ａ…ネジ孔、４０ｂ…孔部、４１…突出部、５０…固定体、６０…陰極、８０…真空外囲器、９０…ネジ、１００…ナット、ａ…回転軸。
【図１】
2011233364.tif 000003
【図２】
2011233364.tif 000004
【図３】
2011233364.tif 000005
【図４】
2011233364.tif 000006
【図５】
2011233364.tif 000007
【図６】
2011233364.tif 000008
【図７】
2011233364.tif 000009
【図８】
2011233364.tif 000010
【図９】
2011233364.tif 000011
【図１０】
2011233364.tif 000012
【図１１】
2011233364.tif 000013
【図１２】
2011233364.tif 000014
【図１３】
2011233364.tif 000015
【図１４】
2011233364.tif 000016
【図１５】
2011233364.tif 000017
【図１６】
2011233364.tif 000018
【図１７】
2011233364.tif 000019
【図１８】
2011233364.tif 000020
【図１９】
2011233364.tif 000021
【図２０】
2011233364.tif 000022
【図２１】
2011233364.tif 000023